(57)【要約】【課題】簡易かつ高精度に王冠の変位量を測定することができる変位量測定装置及び変位量測定方法を提供する。【解決手段】瓶２に打栓された王冠３の変位量を測定する変位量測定装置１であって、瓶２直立させた状態で回転可能に保持する回転保持部と、可視光線であるレーザ光Ｌ１を照射することにより王冠３の天面の変位量を測定する第一レーザ測定部４３と、可視光線であるレーザ光Ｌ２を照射することにより王冠３の下端の変位量を測定する第二レーザ測定部４４と、を備える。【選択図】図４
2014169938.tif 000002
【特許請求の範囲】
【請求項１】
瓶に打栓された王冠の変位量を測定する変位量測定装置であって、
前記瓶を回転可能に保持する回転保持部と、
可視光線を照射することにより前記王冠の天面の変位量を測定する第一測定部と、
可視光線を照射することにより前記王冠の下端の変位量を測定する第二測定部と、
を備える、
変位量測定装置。
【請求項２】
前記瓶が一回転する間の、前記第一測定部が測定した前記王冠の天面の変位量と前記第二測定部が測定した前記王冠の下端の変位量との差分の最大値及び最小値を算出する演算部を更に備える、
請求項１に記載の変位量測定装置。
【請求項３】
前記第一測定部は、前記王冠の天面に可視光線を照射する、
請求項１又は２に記載の変位量測定装置。
【請求項４】
前記王冠の下端に接触する接触部材と、
前記接触部材を前記王冠の下端側に付勢する付勢部材と、
を更に備え、
前記第二測定部は、前記接触部材に可視光線を照射する、
請求項１〜３の何れか一項に記載の変位量測定装置。
【請求項５】
前記接触部材の設置位置を調節する接触部材用設置位置調節機構を更に備える、
請求項４に記載の変位量測定装置。
【請求項６】
前記第一測定部の設置角度を調節する第一測定部用角度調節機構と、
前記第二測定部の設置角度を調節する第二測定部用角度調節機構と、
を更に備える、
請求項４又は５に記載の変位量測定装置。
【請求項７】
瓶に打栓された王冠の変位量を測定する変位量測定方法であって、
前記瓶を直立させた状態で回転させながら、可視光線を照射することにより前記王冠の天面の変位量を測定するとともに、可視光線を照射することにより前記王冠の下端の変位量を測定する、
変位量測定方法。
【請求項８】
前記瓶が一回転する間の、測定した前記王冠の天面の変位量と前記王冠の下端の変位量との差分の最大値及び最小値を算出する、
請求項７に記載の変位量測定方法。
【請求項９】
前記王冠の天面に可視光線を照射することにより前記王冠の天面の変位量を測定する、
請求項７又は８に記載の変位量測定方法。
【請求項１０】
前記王冠の下端に接触させるとともに前記王冠の下端側に付勢した接触部材に可視光線を照射することにより前記王冠の下端の変位量を測定する、
請求項７〜９の何れか一項に記載の変位量測定方法。
【発明の詳細な説明】
【技術分野】
【０００１】
本発明は、瓶に打栓された王冠の変位量を測定する変位量測定装置及び変位量測定方法に関する。
【背景技術】
【０００２】
特許文献１には、瓶に打栓された王冠の偏芯打栓量を測定するための偏芯打栓量測定装置が開示されている。この偏芯打栓量測定装置は、王冠の天面に第一測定子を接触させるとともに王冠の下端にレバー型の第二測定子を接触させ、瓶を一回転させたときの各測定子の上下方向における変位量の差分から、王冠の偏芯打栓量を算出するものである。
【先行技術文献】
【特許文献】
【０００３】
【特許文献１】特許第３６７５５９６号公報
【発明の概要】
【発明が解決しようとする課題】
【０００４】
ところで、瓶に打栓された王冠の変位量を高精度に測定するためには、王冠の下端の変位量を測定する下端測定位置と王冠の天面の変位量を測定する天面測定位置とを、瓶の回転軸を通る同一平面上に配置させることが望ましい。
【０００５】
しかしながら、特許文献１に記載された変位量測定装置では、第一測定子及び第二測定子が王冠に接触している位置が見難く、更には、第一測定子及び第二測定子が王冠に接触している位置を同時に見るのが難しいため、下端測定位置と天面測定位置とを瓶の回転軸に対して同一の半径方向に位置させることが難しいという問題がある。
【０００６】
そこで、本発明は、簡易かつ高精度に王冠の変位量を測定することができる変位量測定装置及び変位量測定方法を提供することを目的とする。
【課題を解決するための手段】
【０００７】
本発明に係る変位量測定装置は、瓶に打栓された王冠の変位量を測定する変位量測定装置であって、瓶を回転可能に保持する回転保持部と、可視光線を照射することにより王冠の天面の変位量を測定する第一測定部と、可視光線を照射することにより王冠の下端の変位量を測定する第二測定部と、を備える。
【０００８】
本発明に係る変位量測定装置によれば、第一測定部及び第二測定部から可視光線を照射することで、王冠の天面の変位量を測定する天面測定位置と王冠の下端の変位量を測定する下端測定位置とを容易に確認することができるため、簡易かつ高精度に王冠の変位量を測定することができる。なお、王冠の変位量は、第一測定部が測定した王冠の天面の変位量と第二測定部が測定した王冠の下端の変位量との差分の最大値及び最小値により求めることができる。
【０００９】
この場合、瓶が一回転する間の、第一測定部が測定した王冠の天面の変位量と第二測定部が測定した王冠の下端の変位量との差分の最大値及び最小値を算出する演算部を更に備えるものとすることができる。このように、演算部により瓶が一回転する間の王冠の天面の変位量と王冠の下端の変位量との差分の最大値及び最小値を算出することで、より迅速に王冠の変位量を測定することができる。
【００１０】
また、第一測定部は、王冠の天面に可視光線を照射するものとすることができる。このように、王冠の天面に直接可視光線を照射することで、王冠の天面の変位量を高精度に測定することができる。
【００１１】
また、王冠の下端に接触する接触部材と、接触部材を王冠の下端側に付勢する付勢部材と、を更に備え、第二測定部は、接触部材に可視光線を照射するものとすることができる。王冠の下端は薄い波状に形成されているが、このように、王冠の下端に接触する接触部材に可視光線を照射することで、下端測定位置の確認容易性を更に向上させることができるとともに、王冠の下端の変位量を確実に測定することができる。しかも、付勢部材により接触部材を王冠の下端側に付勢することで、王冠の下端の変位量をより確実に測定することができる。
【００１２】
また、接触部材の設置位置を調節する接触部材用設置位置調節機構を更に備えるものとすることができる。このように、接触部材用設置位置調節機構を備えることで、接触部材に対する王冠の接触位置を容易に調整することができるため、王冠の下端の変位量をより高精度に測定することができる。
【００１３】
また、第一測定部の設置角度を調節する第一測定部用角度調節機構と、第二測定部の設置角度を調節する第二測定部用角度調節機構と、を更に備えるものとすることができる。このように、第一測定部用角度調節機構及び第二測定部用角度調節機構を備えることで、下端測定位置及び天面測定位置の位置を容易に調整することができる。
【００１４】
本発明に係る変位量測定方法は、瓶に打栓された王冠の変位量を測定する変位量測定方法であって、瓶を直立させた状態で回転させながら、可視光線を照射することにより王冠の天面の変位量を測定するとともに、可視光線を照射することにより王冠の下端の変位量を測定する。
【００１５】
本発明に係る変位量測定方法によれば、可視光線を照射することで、王冠の天面の変位量を測定する天面測定位置と王冠の下端の変位量を測定する下端測定位置とを容易に確認することができるため、簡易かつ高精度に王冠の変位量を測定することができる。なお、王冠の変位量は、王冠の天面の変位量と王冠の下端の変位量との差分の最大値及び最小値により求めることができる。
【００１６】
この場合、瓶が一回転する間の、王冠の天面の変位量と王冠の下端の変位量との差分の最大値及び最小値を算出する方法とすることができる。このように、瓶が一回転する間の王冠の天面の変位量と王冠の下端の変位量との差分の最大値及び最小値を算出することで、より迅速に王冠の変位量を測定することができる。
【００１７】
また、王冠の天面に可視光線を照射することにより王冠の天面の変位量を測定する方法とすることができる。このように、王冠の天面に直接可視光線を照射することで、王冠の天面の変位量を高精度に測定することができる。
【００１８】
また、王冠の下端に接触させるとともに王冠の下端側に付勢した接触部材に可視光線を照射することにより王冠の下端の変位量を測定する方法とすることができる。王冠の下端は薄い波状に形成されているが、このように、王冠の下端に接触させた接触部材に可視光線を照射することで、下端測定位置の確認容易性を更に向上させることができるとともに、王冠の下端の変位量を確実に測定することができる。しかも、接触部材を王冠の下端側に付勢することで、王冠の下端の変位量をより確実に測定することができる。
【発明の効果】
【００１９】
本発明によれば、簡易かつ高精度に王冠の変位量を測定することができる。
【図面の簡単な説明】
【００２０】
【図１】実施形態に係る変位量測定装置の概略構成を示す図である。
【図２】接触部材周りの拡大斜視図である。
【図３】アーム保持部の模式図である。
【図４】センサ部の模式図である。
【図５】天面測定位置及び下端測定位置を示す図である。
【発明を実施するための形態】
【００２１】
以下、図面を参照して、本発明に係る変位量測定装置及び変位量測定方法の好適な実施形態について詳細に説明する。なお、全図中、同一又は相当部分には同一符号を付すこととする。
【００２２】
図１は、実施形態に係る変位量測定装置の概略構成を示す図である。図１に示すように、本実施形態に係る変位量測定装置１は、ビール瓶等の瓶２に打栓された王冠３の変位量を測定して、王冠３の偏芯打栓の有無及び偏芯打栓量を検出するものである。
【００２３】
ここで、変位量測定装置１の構成を説明する前に、瓶２及び瓶２に打栓された王冠３について説明する。瓶２は、有底の略円筒状容器であり、その上部に開口された円形の口部（不図示）が形成されている。王冠３は、薄い金属板により瓶２の口部を封止するものであり、口部の開口を塞ぐ王冠天面部３ａと、王冠天面部３ａの全周縁から瓶２の底面側に延びて口部の周囲を覆う王冠外周部３ｂと、を備えている。王冠天面部３ａは、薄い金属板により円形に形成されている。王冠外周部３ｂは、薄い金属板によりひだ状に屈曲された略円筒状に形成されている。このため、王冠外周部３ｂの下端は、薄い波状に形成されている。そして、瓶２に対して王冠３が偏芯して打栓されると、王冠外周部３ｂの周回り方向において王冠外周部３ｂの長さ（直立された瓶２の高さ方向における長さ）が異なる。そこで、変位量測定装置１は、王冠外周部３ｂの周回り方向における王冠外周部３ｂの長さの変位量を測定することで、王冠３の偏芯打栓の有無及び偏芯打栓量を検出する。
【００２４】
変位量測定装置１は、ベース部１０と、スタンド部２０と、アーム部３０と、センサ部４０と、制御部５０と、を備えている。
【００２５】
ベース部１０は、王冠３が打栓された瓶２が載置される土台部である。ベース部１０には、瓶２の底部を保持する回転保持部１１と、回転保持部１１を回転駆動する回転駆動部１２と、が取り付けられている。回転保持部１１は、瓶２を直立させた状態で保持するものであり、ベース部１０に対して脱着可能に取り付けられている。回転駆動部１２は、王冠３が打栓された瓶２を保持する回転保持部１１をベース部１０に取り付けた際に、王冠天面部３ａの中心を通る中心軸線周りに瓶２が回転するように、回転保持部１１を回転駆動する。なお、回転駆動部１２は、例えば、モーターと、モーターの回転出力を回転保持部１１に伝達する歯車などの伝達機構と、を備えている。
【００２６】
スタンド部２０は、ベース部１０に立設されて、アーム部３０及びセンサ部４０を保持するものである。スタンド部２０は、ベース部１０に立設されたスクリュー軸２１と、スクリュー軸２１に螺合されたスクリューナット２２と、を備えている。スクリュー軸２１は、その軸方向が回転保持部１１の回転軸と平行になるように配置されている。スクリューナット２２は、その回転によって上下方向の位置を変えることが可能となっている。
【００２７】
アーム部３０は、回転保持部１１に保持された瓶２に打栓された王冠３の王冠外周部３ｂの下端に接触させるものである。アーム部３０は、スクリュー軸２１に対して回転自在かつ上下方向に移動自在に挿入されてスクリューナット２２上に支持されるスリーブ３１と、スクリュー軸２１に対してスリーブ３１を固定するスリーブ固定用ハンドル３２と、スリーブ３１の側面に固定された支持部３３と、支持部３３に対して回転保持部１１の回転軸と平行な軸線周りに回転可能に取り付けられた回転部３４と、王冠外周部３ｂの下端に接触させる接触部材３５と、回転部３４に固定されて接触部材３５を保持するアーム保持部３６と、回転保持部１１に保持された瓶２に接触部材３５を押し付ける方向に回転部３４を付勢する付勢機構３７と、を備えている。
【００２８】
図２は、接触部材周りの拡大斜視図である。図１及び図２に示すように、接触部材３５は、細長い棒状に形成されている。接触部材３５の基端部は、アーム保持部３６に保持されており、接触部材３５の先端部には、王冠外周部３ｂの下端に接触させる接触面３５ａが形成されている。接触面３５ａは、平面状に形成されており、接触面３５ａの全面が王冠外周部３ｂの下端位置と同じ高さとなるように、回転保持部１１の回転軸と垂直な面、つまり、水平面となっている。
【００２９】
図３は、アーム保持部の模式図である。図３に示すように、アーム保持部３６には、接触部材３５の設置位置を調節する接触部材用設置位置調節機構３８と、接触部材３５を付勢する付勢部材３９と、が設けられている。
【００３０】
接触部材用設置位置調節機構３８は、接触部材３５の基端部を保持するとともに、接触部材３５の基端部の保持位置を上下に調節できるものである。接触部材用設置位置調節機構３８の具体的な構成は、特に限定されるものではなく、例えば、上下方向に延びる溝に、接触部材３５の基端部に連結される連結部を嵌め込むことにより構成することができる。
【００３１】
付勢部材３９は、接触部材用設置位置調節機構３８よりも接触部材３５の先端部側において接触部材３５を上方に付勢するものである。付勢部材３９の具体的な構成は、特に限定されるものではなく、例えば、バネ等の弾性部材により構成することができる。
【００３２】
このため、接触部材３５は、付勢部材３９により王冠外周部３ｂの下端に付勢されている。また、接触部材用設置位置調節機構３８により接触部材３５の基端部の保持位置を上下に調節することで、王冠外周部３ｂの下端に対する接触面３５ａの接触角度を調節することが可能となっている。
【００３３】
図４は、センサ部の模式図である。図１及び図４に示すように、センサ部４０は、スクリュー軸２１に固定される棒状の第一アーム部４１と、第一アーム部４１に対して第一アーム部４１の長手方向に移動可能な第二アーム部４２と、第二アーム部４２に取り付けられた第一レーザ測定部４３及び第二レーザ測定部４４と、を備えている。
【００３４】
第一レーザ測定部４３は、可視光線であるレーザ光を照射することにより王冠天面部３の天面の変位量を測定するものである。具体的に説明すると、第一レーザ測定部４３は、王冠天面部３ａの天面に可視光線であるレーザ光Ｌ１を照射し、王冠天面部３ａの天面から反射した反射光の受光位置を検出することで、王冠天面部３ａの天面の変位量を測定する。この場合、王冠天面部３ａの天面におけるレーザ光Ｌ１が当たる照射点が、王冠天面部３ａの天面の変位量を測定する天面測定位置Ｐ１となり、この天面測定位置Ｐ１は、王冠天面部３ａの天面における周縁に近い位置（周縁部）であることが好ましい。第一レーザ測定部４３としては、例えば、ＫＥＹＥＮＣＥ社製の「高精度２次元レーザ変位計  ＬＪ−Ｇシリーズ」、「ダブルスキャン高精度レーザ測定器  ＬＴ−９００シリーズ」、「マイクロヘッド型  分光干渉レーザ変位計  ＳＩ−Ｆシリーズ」を用いることができる。
【００３５】
そして、第一レーザ測定部４３には、第二アーム部４２に対する第一レーザ測定部４３の設置角度を調節する第一レーザ測定部用角度調節機構４５が取り付けられている。このため、第一レーザ測定部用角度調節機構４５を調節することで、天面測定位置Ｐ１を王冠天面部３ａの天面における所望の位置に移動させることができる。第一レーザ測定部用角度調節機構４５の具体的な構成は、特に限定されるものではなく、例えば、第一レーザ測定部４３に固定板を固定し、固定板と第二アーム部４２とを２つのボルトで固定し、一方のボルト穴を上下方向に延ばす構成とすることができる。この場合、上下方向に延びたボルト穴に挿入されたボルトを緩めることで、第二アーム部４２に対して第一レーザ測定部４３を回転させることができ、緩めたボルトを締めることで、第二アーム部４２に対して第一レーザ測定部４３を所望の回転位置で固定することができる。
【００３６】
第二レーザ測定部４４は、可視光線を照射することにより王冠外周部３ｂの下端の変位量を測定するものである。具体的に説明すると、第二レーザ測定部４４は、王冠外周部３ｂの下端に接触された接触部材３５の接触面３５ａに可視光線であるレーザ光を照射し、接触面３５ａから反射した反射光の受光位置を検出することで、王冠外周部３ｂの下端の変位量を測定する。つまり、接触面３５ａの高さは王冠外周部３ｂの高さと同一であることから、第二レーザ測定部４４は、接触面３５ａの変位量を測定することで、王冠外周部３ｂの下端の変位量を測定する。この場合、接触面３５ａにおけるレーザ光が当たる照射点が、王冠外周部３ｂの下端の変位量を測定する下端測定位置Ｐ２となり、この下端測定位置Ｐ２は、接触面３５ａの任意の位置とすることができる。第二レーザ測定部４４としては、第一レーザ測定部４３と同様に、例えば、ＫＥＹＥＮＣＥ社製の「高精度２次元レーザ変位計  ＬＪ−Ｇシリーズ」、「ダブルスキャン高精度レーザ測定器  ＬＴ−９００シリーズ」、「マイクロヘッド型  分光干渉レーザ変位計  ＳＩ−Ｆシリーズ」を用いることができる。
【００３７】
そして、第二レーザ測定部４４には、第二アーム部４２に対する第二レーザ測定部４４の設置角度を調節する第二レーザ測定部用角度調節機構４６が取り付けられている。このため、第二レーザ測定部用角度調節機構４６を調節することで、下端測定位置Ｐ２を接触面３５ａにおける所望の位置に移動させることができる。第二レーザ測定部用角度調節機構４６の具体的な構成は、特に限定されるものではなく、例えば、第一レーザ測定部用角度調節機構４５と同様に、第二レーザ測定部４４に固定板を固定し、固定板と第二アーム部４２とを２つのボルトで固定し、一方のボルト穴を上下方向に延ばす構成とすることができる。この場合、上下方向に延びたボルト穴に挿入されたボルトを緩めることで、第二アーム部４２に対して第二レーザ測定部４４を回転させることができ、緩めたボルトを締めることで、第二アーム部４２に対して第二レーザ測定部４４を所望の回転位置で固定することができる。
【００３８】
制御部５０は、第一レーザ測定部４３の測定結果と第二レーザ測定部４４の測定結果とに基づいて王冠３の変位量を演算する演算部５１と、演算部５１の演算結果をディスプレイ等に表示する表示装置５２と、を備えている。演算部５１は、第一レーザ測定部４３が測定した王冠天面部３ａの天面の変位量と、第二レーザ測定部４４が測定した王冠外周部３ｂの下端の変位量と、を取得する。そして、演算部５１は、王冠３の変位量として、瓶２が一回転する間の、王冠天面部３ａの天面の変位量と王冠外周部３ｂの下端の変位量との差分の最大値及び最小値を算出する。また、演算部５１は、この算出結果を表示装置５２に表示させる。
【００３９】
次に、変位量測定装置１を用いて王冠３の変位量を測定する方法について説明する。
【００４０】
まず、王冠３を打栓した瓶２を回転保持部１１に保持させ、回転保持部１１をベース部１０に取り付ける。
【００４１】
次に、スクリューナット２２を回転させて接触部材３５の接触面３５ａの高さを王冠外周部３ｂの下端の高さに合わせて、スリーブ固定用ハンドル３２によりスリーブ３１を固定する。
【００４２】
次に、接触部材３５を押し下げて回転部３４を支持部３３に対して回転させ、接触面３５ａを王冠外周部３ｂの下方に配置する。このとき、付勢機構３７により接触部材３５が瓶２に付勢された状態とする。そして、接触部材３５の押し下げを解除して接触面３５ａを王冠外周部３ｂの下端に接触させる。
【００４３】
次に、第一レーザ測定部４３及び第二レーザ測定部４４の設定を行う。第一レーザ測定部４３及び第二レーザ測定部４４の設定は、まず、第一レーザ測定部４３及び第二レーザ測定部４４からレーザ光Ｌ１及びレーザ光Ｌ２を照射させる。このとき、レーザ光Ｌ１及びレーザ光Ｌ２は可視光線であることから、レーザ光Ｌ１及びレーザ光Ｌ２の照射点を目視することができる。そこで、図５に示すように、レーザ光Ｌ１及びレーザ光Ｌ２の照射点を目視により確認しながら、天面測定位置Ｐ１が王冠天面部３ａの天面に配置され、下端測定位置Ｐ２が接触面３５ａに配置され、更に、天面測定位置Ｐ１と下端測定位置Ｐ２とが瓶２の回転軸Ｏを通る同一平面上に配置されるように、第一アーム部４１に対して第二アーム部４２を移動させるとともに、第一レーザ測定部用角度調節機構４５及び第二レーザ測定部用角度調節機構４６を調節する。このとき、天面測定位置Ｐ１を、王冠天面部３ａの天面における周縁に近い位置（周縁部）に配置する。
【００４４】
このとき、瓶２の回転軸Ｏ、天面測定位置Ｐ１及び下端測定位置Ｐ２が通る平面上において、接触面３５ａと王冠外周部３ｂの下端とが接触していない場合がある。そこで、このような場合は、レーザ光Ｌ１及びレーザ光Ｌ２の照射点を目視により確認しながら、接触部材用設置位置調節機構３８により王冠外周部３ｂの下端に対する接触面３５ａの接触角度を調節して、当該平面上において接触面３５ａと王冠外周部３ｂの下端とを接触させる。
【００４５】
次に、回転駆動部１２により回転保持部１１を回転駆動し、瓶２を直立させた状態で回転させながら、第一レーザ測定部４３からレーザ光Ｌ１を照射することにより王冠天面部３ａの天面の変位量を測定するとともに、第二レーザ測定部４４からレーザ光Ｌ２を照射することにより王冠外周部３ｂの下端の変位量を測定する。このとき、レーザ光Ｌ１及びレーザ光Ｌ２の照射点を観察することで、天面測定位置Ｐ１及び下端測定位置Ｐ２がずれていないかを確認することができる。
【００４６】
このようにして第一レーザ測定部４３及び第二レーザ測定部４４からレーザ光Ｌ１及びレーザ光Ｌ２を照射して瓶２を回転させると、演算部５１は、第一レーザ測定部４３が測定した王冠天面部３ａの天面の変位量と、第二レーザ測定部４４が測定した王冠外周部３ｂの下端の変位量と、を取得する。そして、演算部５１は、王冠３の変位量として、瓶２が一回転する間の、王冠天面部３ａの天面の変位量と王冠外周部３ｂの下端の変位量との差分の最大値及び最小値を算出する。また、演算部５１は、この算出結果を表示装置５２に表示させる。これにより、王冠３の変位量を確認することができるため、王冠３の偏芯打栓の有無及び偏芯打栓量を判断することができる。この場合、演算部５１において、王冠３の偏芯打栓の有無及び偏芯打栓量を検出（算出）するものとしてもよい。
【００４７】
このように、本実施形態によれば、第一レーザ測定部４３及び第二レーザ測定部４４から可視光線であるレーザ光Ｌ１及びレーザ光Ｌ２を照射することで、王冠天面部３ａの天面の変位量を測定する天面測定位置Ｐ１と王冠外周部３ｂの下端の変位量を測定する下端測定位置Ｐ２とを容易に確認することができるため、簡易かつ高精度に王冠３の変位量を測定することができる。
【００４８】
そして、演算部５１により瓶２が一回転する間の王冠天面部３ａの天面の変位量と王冠外周部３ｂの下端の変位量との差分の最大値及び最小値を算出することで、より迅速に王冠３の変位量を測定することができる。
【００４９】
また、王冠天面部３ａの天面に直接レーザ光Ｌ１を照射することで、王冠天面部３ａの天面の変位量を高精度に測定することができる。
【００５０】
また、王冠の下端は薄い波状に形成されているが、このように、王冠外周部３ｂの下端に接触する接触部材３５の接触面３５ａにレーザ光Ｌ２を照射することで、下端測定位置Ｐ２の確認容易性を更に向上させることができるとともに、王冠外周部３ｂの下端の変位量を確実に測定することができる。しかも、付勢部材３９により接触部材３５を王冠外周部３ｂの下端側に付勢するため、王冠外周部３ｂの下端の変位量をより確実に測定することができる。
【００５１】
また、接触部材用設置位置調節機構３８を備えることで、接触部材３５に対する王冠の接触位置を容易に調整することができるため、王冠外周部３ｂの下端の変位量をより高精度に測定することができる。
【００５２】
また、第一レーザ測定部用角度調節機構４５及び第二レーザ測定部用角度調節機構４６を備えることで、天面測定位置Ｐ１及び下端測定位置Ｐ２の位置を容易に調整することができる。
【００５３】
以上、本発明の好適な実施形態について説明したが、本発明は上記実施形態に限定されるものではない。
【００５４】
例えば、上記実施形態では、王冠外周部の下端に接触させた接触部材の接触面にレーザ光を照射することで王冠外周部の下端の変位量を測定するもとして説明したが、王冠外周部の下端にレーザ光を直接照射することで王冠外周部の下端の変位量を測定するもとしてもよい。
【００５５】
また、上記実施形態では、王冠天面部の天面にレーザ光を直接照射することで王冠天面部の天面の変位量を測定するものとして説明したが、王冠天面部の天面に接触させた部材にレーザ光を照射することで王冠天面部の天面の変位量を測定するもとしてもよい。
【００５６】
また、上記実施形態では、レーザの照射により王冠の天面の変位量を測定するものとして説明したが、第一測定部及び第二測定部は、レーザ以外の手段を用いて王冠の天面の変位量を測定してもよい。例えば、可視光線を照射する照準器で変位量の測定位置を照射し、この照射した位置の変位量を、接触センサや非接触センサ等の公知の様々なセンサにより測定したり、画像処理により測定したりするものとしてもよい。
【００５７】
また、上記実施形態では、回転保持部が瓶を直立した状態で回転可能に保持するものとして説明したが、瓶の姿勢は必ずしも直立した状態である必要はなく、瓶を傾斜した状態や横に向けた状態等で回転可能に保持するものとしてもよい。
【実施例】
【００５８】
次に、本発明の実施例について説明する。なお、本発明は、以下の実施例に限定されるものではない。
【００５９】
（実施例）
実施例では、上記実施形態に係る変位量測定装置を用いて、繰り返し精度の検証を行った。具体的に説明すると、ビールの製造ラインからビール瓶（中瓶）のサンプルをランダムに５本サンプリングして、王冠の変位量の測定を１サンプルにつき１０回行い、測定結果の標準偏差を繰り返し精度として算出した。王冠の変位量の測定結果及び繰り返し精度の算出結果を表１に示す。なお、表１に示した測定値の単位は［ｍｍ］である。
【００６０】
（比較例）
比較例では、特許文献１に記載された変位量測定装置を用いて、実施例と同様に、繰り返し精度の検証を行った。具体的に説明すると、実施例においてサンプリングしたものと同一の５本のビール瓶をサンプルとして、王冠の変位量の測定を１サンプルにつき１０回行い、測定結果の標準偏差を繰り返し精度として算出した。王冠の変位量の測定結果及び繰り返し精度の算出結果を表１に示す。
【表１】
2014169938.tif 000003
表１に示すように、５サンプルの全てにおいて、比較例よりも実施例の方が１０回測定値の標準偏差が小さく繰り返し精度が高い結果となった。なお、実施例では、比較例よりも平均値が概ねやや低い傾向であるが、再現性が高いことから問題ないと考えられる。このような結果から、実施例は、比較例と比較して測定精度の観点から優れていることが分かった。
【符号の説明】
【００６１】
１…変位量測定装置、２…瓶、３…王冠、３ａ…王冠天面部、３ｂ…王冠外周部、１０…ベース部、１１…回転保持部、１２…回転駆動部、２０…スタンド部、２１…スクリュー軸、２２…スクリューナット、３０…アーム部、３１…スリーブ、３２…スリーブ固定用ハンドル、３３…支持部、３４…回転部、３５…接触部材、３５ａ…接触面、３６…アーム保持部、３７…付勢機構、３８…接触部材用設置位置調節機構、３９…付勢部材、４０…センサ部、４１…第一アーム部、４２…第二アーム部、４３…第一レーザ測定部（第一測定部）、４４…第二レーザ測定部（第二測定部）、４５…第一レーザ測定部用角度調節機構（第一測定部用角度調節機構）、４６…第二レーザ測定部用角度調節機構（第二測定部用角度調節機構）、５０…制御部、５１…演算部、５２…表示装置、Ｌ１…レーザ光、Ｌ２…レーザ光、Ｏ…回転軸、Ｐ１…天面測定位置、Ｐ２…下端測定位置。
【図１】
2014169938.tif 000004
【図２】
2014169938.tif 000005
【図３】
2014169938.tif 000006
【図４】
2014169938.tif 000007
【図５】
2014169938.tif 000008